(57)【要約】【課題】部品点数を少なくして固定作業を簡素化する。【解決手段】フレキシブルフィルム状ハーネス１は、帯状に形成された本体部２と、この本体部２の長手方向の所定範囲から、幅方向に形成された弾性延出部１０と、取付クリップ４とを備え、弾性延出部１０形成部分は、フレーム５の収納空間７内に収納されている。弾性延出部１０は、収納空間７内で復元力により元の状態に戻ろうとして収納空間７の内壁７ａに引っ掛かる。このため、フレキシブルフィルム状ハーネス１の弾性延出部１０形成部分がフレーム５に固定される。【選択図】　図２
2004103302.tif 000002
【特許請求の範囲】
【請求項１】
絶縁フィルム上に導体をラミネートしてなるフレキシブルフィルム状ハーネスの被取付部材への固定構造であって、
前記フレキシブルフィルム状ハーネスは、
両端部間に帯状に形成された本体部と、
この本体部の長手方向の所定範囲から、前記本体部の幅方向に延出する弾性延出部とを備え、
前記被取付部材は、
内部に前記フレキシブルフィルム状ハーネスの弾性延出部を収納可能な収納空間を有し、その両端に前記フレキシブルフィルム状ハーネスの弾性延出部を挿通するための挿通穴を備え、
前記弾性延出部が前記収納空間の内壁に引っ掛かった状態で前記弾性延出部が前記収納空間に収納されている
ことを特徴とするフレキシブルフィルム状ハーネスの固定構造。
【請求項２】
前記フレキシブルフィルム状ハーネスは、前記絶縁フィルムと、エッチングにより形成された前記導体とを組み合わせた構造からなるものであることを特徴とする請求項１記載の固定構造。
【請求項３】
前記フレキシブルフィルム状ハーネスは、前記絶縁フィルムと、打ち抜きにより形成された前記導体とを組み合わせた構造からなるものであることを特徴とする請求項１記載の固定構造。
【請求項４】
前記挿通穴は、前記挿通穴を結ぶ方向と直交する方向の前記収納空間の断面積よりも小さい開口面積を有するものであることを特徴とする請求項１〜３のいずれか１項記載の固定構造。
【請求項５】
絶縁フィルム上に導体をラミネートしてなるフレキシブルフィルム状ハーネスの被取付部材への固定方法であって、
前記フレキシブルフィルム状ハーネスは、
両端部間に帯状に形成された本体部と、
この本体部の長手方向の所定範囲から、前記本体部の幅方向に延出する弾性延出部とを備え、
前記被取付部材は、
内部に前記フレキシブルフィルム状ハーネスの弾性延出部を収納可能な収納空間を有し、その両端に前記フレキシブルフィルム状ハーネスを挿通するための挿通穴を備え、
前記弾性延出部を前記本体部の幅方向に丸めた状態で前記フレキシブルフィルム状ハーネスを前記挿通穴を介して前記収納空間に挿通させた後に前記弾性延出部の丸めた状態を解除し、
前記弾性延出部を前記収納空間の内壁に引っ掛けることにより前記フレキシブルフィルム状ハーネスを前記被取付部材に固定する
ことを特徴とするフレキシブルフィルム状ハーネスの固定方法。
【請求項６】
前記弾性延出部を前記本体部の幅方向に丸めてこの丸めた状態を保持部材により保持し、
前記フレキシブルフィルム状ハーネスを前記挿通穴を介して前記収納空間に挿通させた後に前記保持部材による前記弾性延出部の丸めた状態を解除し、
前記弾性延出部を前記収納空間の内壁に引っ掛けることにより前記フレキシブルフィルム状ハーネスを前記被取付部材に固定する
ことを特徴とする請求項５記載の固定方法。
【請求項７】
前記保持部材は、紙粘着テープであることを特徴とする請求項６記載の固定方法。
【発明の詳細な説明】
【０００１】
【発明の属する技術分野】
この発明は、自動車のフレーム等の被取付部材に配索され、ランプやモータ等の電装部品間を接続するフレキシブルフィルム状ハーネスの固定構造及び方法に関し、特に部品点数を少なくして固定作業を簡素化することができるフレキシブルフィルム状ハーネスの固定構造及び方法に関する。
【０００２】
【従来の技術】
従来より、フレキシブルフィルム状ハーネスを自動車のフレーム等の被取付部材に固定する場合、被取付部材に取付片などの取付部を設け、フレキシブルフィルム状ハーネスをこの取付部に取り付けた後、被取付部材に取り付けられる取付部材を取り付けてフレキシブルフィルム状ハーネスを固定している（例えば、特許文献１参照。）。
【０００３】
【特許文献１】
特開平９−５６０４３号公報（第２−３頁、第１−３図）
【０００４】
【発明が解決しようとする課題】
しかしながら、このようにフレキシブルフィルム状ハーネスに取付部材を取り付けて被取付部材に固定するには、フレキシブルフィルム状ハーネスの他に別途取付部材などの部品が必要となると共に、取付部材の取付作業も必要となるため、部品コストがかさみ作業工数が多くなるという問題がある。
【０００５】
この発明は、このような問題点に鑑みてなされたもので、部品点数を少なくして固定作業を簡素化することができるフレキシブルフィルム状ハーネスの固定構造及び方法を提供することを目的とする。
【０００６】
【課題を解決するための手段】
この発明に係るフレキシブルフィルム状ハーネスの固定構造は、絶縁フィルム上に導体をラミネートしてなるフレキシブルフィルム状ハーネスの被取付部材への固定構造であって、前記フレキシブルフィルム状ハーネスは、両端部間に帯状に形成された本体部と、この本体部の長手方向の所定範囲から、前記本体部の幅方向に延出する弾性延出部とを備え、前記被取付部材は、内部に前記フレキシブルフィルム状ハーネスの弾性延出部を収納可能な収納空間を有し、その両端に前記フレキシブルフィルム状ハーネスの弾性延出部を挿通するための挿通穴を備え、前記弾性延出部が前記収納空間の内壁に引っ掛かった状態で前記弾性延出部が前記収納空間に収納されていることを特徴とする。
【０００７】
この発明に係るフレキシブルフィルム状ハーネスの固定方法は、絶縁フィルム上に導体をラミネートしてなるフレキシブルフィルム状ハーネスの被取付部材への固定方法であって、前記フレキシブルフィルム状ハーネスは、両端部間に帯状に形成された本体部と、この本体部の長手方向の所定範囲から、前記本体部の幅方向に延出する弾性延出部とを備え、前記被取付部材は、内部に前記フレキシブルフィルム状ハーネスの弾性延出部を収納可能な収納空間を有し、その両端に前記フレキシブルフィルム状ハーネスを挿通するための挿通穴を備え、前記弾性延出部を前記本体部の幅方向に丸めた状態で前記フレキシブルフィルム状ハーネスを前記挿通穴を介して前記収納空間に挿通させた後に前記弾性延出部の丸めた状態を解除し、前記弾性延出部を前記収納空間の内壁に引っ掛けることにより前記フレキシブルフィルム状ハーネスを前記被取付部材に固定することを特徴とする。
【０００８】
この発明によれば、フレキシブルフィルム状ハーネスに備えられた弾性延出部が、被取付部材の収納空間の内壁に引っ掛かることによりフレキシブルフィルム状ハーネスが被取付部材に固定される。また、この発明によれば、例えばフレキシブルフィルム状ハーネスに備えられた弾性延出部を本体部側に丸めて被取付部材の収納空間内に収容するため、この収納空間内で弾性延出部が復元力により元の状態に戻ろうとして収納空間の内壁に引っ掛かり、フレキシブルフィルム状ハーネスが被取付部材に固定される。これにより、フレキシブルフィルム状ハーネスの被取付部材への取付部材などの部品点数を少なくし固定作業を簡素化することが可能となる。
【０００９】
なお、フレキシブルフィルム状ハーネスは、例えば絶縁フィルムと、エッチングにより形成された導体とを組み合わせたいわゆるフレキシブルプリント回路（ＦＰＣ）構造からなるものでも、絶縁フィルムと、打ち抜きにより形成された導体とを組み合わせたいわゆるフレキシブルフラットケーブル（ＦＦＣ）構造からなるものでも良い。
【００１０】
また、保持部材は、例えば紙粘着テープであることが好ましい。
【００１１】
なお、挿通穴は、挿通穴を結ぶ方向と直交する方向の収納空間の断面積よりも小さい開口面積を有するものであることが好ましい。このように構成すれば、収納通空間内で元の状態に戻ろうとする弾性延出部が挿通穴から外部に出難い状態を形成し、フレキシブルフィルム状ハーネスの固定状態を安定させることができる。
【００１２】
【発明の実施の形態】
以下、添付の図面を参照して、この発明の好ましい実施の形態を説明する。
図１は、この発明の一実施形態に係るフレキシブルフィルム状ハーネスの固定構造を説明するためのフレキシブルフィルム状ハーネスの一部拡大図、図２は、フレキシブルフィルム状ハーネスの固定構造を説明するための全体図及びＡ−Ａ´断面図である。
図１に示すように、フレキシブルフィルム状ハーネス１は、帯状に形成された本体部２と、この本体部２の長手方向の所定範囲から、幅方向に形成された板状の弾性延出部１０と、図２（ａ）に示すように、所定位置にテープ３で取り付けられた取付部材としての取付クリップ４とを備えて構成されている。一方、被取付部材としてのフレーム５は、フレキシブルフィルム状ハーネス１を挿通するための複数の挿通穴６ａ，６ｂと、これら挿通穴６ａ，６ｂと連通する収納空間７とを備えて構成されている。なお、フレーム５としては、例えば自動車のピラー部分などが考えられる。
【００１３】
フレキシブルフィルム状ハーネス１は、図１に示すように、例えばポリエチレンテレフタレート（ＰＥＴ）、ポリエチレンナフタレート（ＰＥＮ）、ポリイミド（ＰＩ）及びポリオレフィン（ＰＯ）等の絶縁樹脂フィルムからなるベースフィルム８の上に、銅箔等の導電材をパターン形成してなる配線９を形成し、これらベースフィルム８及び配線９の上に合成樹脂等からなる図示しないカバーレイを被せた構造からなる。なお、この例ではフレキシブルフィルム状ハーネス１は、ベースフィルム８上に配線９をエッチングにより形成したいわゆるフレキシブルプリント回路（Ｆｌｅｘｉｂｌｅ　Ｐｒｉｎｔｅｄ　Ｃｉｒｃｕｉｔｓ：ＦＰＣ）構造からなるものであるが、他にも、ベースフィルム８上に打ち抜きにより形成した配線９を貼り付けたり、ベースフィルム８とカバーレイとを配線９にラミネートしたり、細線を潰して平角線とし、これをベースフィルム８にラミネートしたいわゆるフレキシブルフラットケーブル（Ｆｌｅｘｉｂｌｅ　Ｆｌａｔ　Ｃａｂｌｅ：ＦＦＣ）構造からなるものでも良い。
【００１４】
フレキシブルフィルム状ハーネス１の弾性延出部１０は、図２（ｂ）に示すように、フレーム５の収納空間７内に収容され、復元力により図中白抜き矢印方向に広がって元の状態に戻ろうとして収納空間７の内壁７ａに引っ掛かり、これにより、収納空間７内に収納された弾性延出部１０形成部分のフレキシブルフィルム状ハーネス１がフレーム５に固定される。このフレキシブルフィルム状ハーネス１では、フレーム５の収納空間７内での固定のために別途固定部品等を必要としないため、部品点数を少なくすることができる。一方、収納空間７の外部に配索されるフレキシブルフィルム状ハーネス１は、例えば取付クリップ４によりフレーム５に固定される。
【００１５】
このフレキシブルフィルム状ハーネス１の弾性延出部１０形成部分をフレーム５の収納空間７内に固定する作業は、図３に示すように行われる。即ち、同図（ａ）に示すように、弾性延出部３を、挿通穴６ａ，６ｂを十分通る大きさとなるように本体部２側に丸め、保持部材としての紙粘着テープ１２ａ，１２ｂでその丸めた状態を保持し、フレキシブルフィルム状ハーネス１の一方の端部からフレーム５の収納空間７内に挿入する。そして、同図（ｂ）に示すように、丸めた状態の弾性延出部１０が収納空間７内に入ったときに、一方の紙粘着テープ１２ａを破り、更に同図（ｃ）に示すように、完全に弾性延出部１０を収納空間７内に収める前にもう一方の紙粘着テープ１２ｂを破って、同図（ｄ）に示すように、弾性延出部１０形成部分のフレキシブルフィルム状ハーネス１を収納空間７内に収納すれば良い。なお、弾性延出部１０の丸めた状態を保持するための紙粘着テープ１２は、一箇所だけに貼り付けるようにしても良い。
【００１６】
【発明の効果】
以上述べたように、この発明によれば、フレキシブルフィルム状ハーネスに備えられた弾性延出部が、被取付部材の収納空間の内壁に引っ掛かることによりフレキシブルフィルム状ハーネスが被取付部材に固定される。また、この発明によれば、例えばフレキシブルフィルム状ハーネスに備えられた弾性延出部を本体部側に丸めて被取付部材の収納空間内に収容するため、この収納空間内で弾性延出部が復元力により元の状態に戻ろうとして収納空間の内壁に引っ掛かり、フレキシブルフィルム状ハーネスが被取付部材に固定される。これにより、フレキシブルフィルム状ハーネスの被取付部材への取付部材などの部品点数を少なくし固定作業を簡素化することが可能となるという効果を奏する。
【図面の簡単な説明】
【図１】この発明の一実施形態に係るフレキシブルフィルム状ハーネスの固定構造を説明するためのフレキシブルフィルム状ハーネスの一部拡大図である。
【図２】同フレキシブルフィルム状ハーネスの固定構造を説明するための全体図及びＡ−Ａ´断面図である。
【図３】同フレキシブルフィルム状ハーネスの固定作業を説明するための図である。
【符号の説明】１…フレキシブルフィルム状ハーネス、２…本体部、３…テープ、４…取付クリップ、５…フレーム、６…挿通穴、７…収納空間、８…ベースフィルム、９…配線、１０…弾性延出部、１２…紙粘着テープ。
【図１】
2004103302.tif 000003
【図２】
2004103302.tif 000004
【図３】
2004103302.tif 000005